(57)【要約】【課題】スイッチギヤの内部の温度分布の均一性を向上させる。【解決手段】送風機からの空気を取り込む取込口を有し、母線が収容される母線室と、母線室に隣接し、母線と接続される複数の遮断器が収容される遮断器室と、母線室の遮断器室とは反対側に隣接し、複数の遮断器と接続されるケーブルが収容されるケーブル室と、を備え、母線室と遮断器室は、母線室内の空気を母線室から遮断器室へ案内する第１の送風口を有し、遮断器室は、遮断器室内の空気を外部に案内する第１の排気口を有し、母線室とケーブル室は、母線室内の空気を母線室からケーブル室へ案内する第２の送風口を有し、ケーブル室は、ケーブル室内の空気を外部に案内する第２の排気口を有するスイッチギヤの換気装置。【選択図】図１
2011172357.tif 000002
【特許請求の範囲】
【請求項１】
送風機からの空気を取り込む取込口を有し、母線が収容される母線室と、
前記母線室に隣接し、前記母線と接続される複数の遮断器が収容される遮断器室と、
前記母線室の前記遮断器室とは反対側に隣接し、前記複数の遮断器と接続されるケーブルが収容されるケーブル室と、を備え、
前記母線室と前記遮断器室は、前記母線室内の空気を前記母線室から前記遮断器室へ案内する第１の送風口を有し、
前記遮断器室は、前記遮断器室内の空気を外部に案内する第１の排気口を有し、
前記母線室と前記ケーブル室は、前記母線室内の空気を前記母線室から前記ケーブル室へ案内する第２の送風口を有し、
前記ケーブル室は、前記ケーブル室内の空気を外部に案内する第２の排気口を有する
ことを特徴とするスイッチギヤの換気装置。
【請求項２】
前記送風機がスイッチギヤの高さ方向における略中間位置より高い位置の外気を吸気するように配置された吸気ダクト
を備えたことを特徴とする請求項１に記載のスイッチギヤの換気装置。
【請求項３】
前記スイッチギヤの高さ方向において、
前記第１の送風口の位置は、前記第１の排気口の位置より低く、
前記第２の送風口の位置は、前記第２の排気口の位置より低い
ことを特徴とする請求項１又は２に記載のスイッチギヤの換気装置。
【請求項４】
前記母線室は、一端が前記取込口となるダクト形状を呈し、
前記第１及び第２の送風口は、それぞれ、前記取込口から遠ざかるにつれて小さくなる複数の送風口である
ことを特徴とする請求項１乃至３の何れかに記載のスイッチギヤの換気装置。
【請求項５】
前記送風機は、前記取込口に装着される
ことを特徴とする請求項１乃至４の何れかに記載のスイッチギヤの換気装置。
【請求項６】
前記複数の遮断器の動作状態に応じて、前記送風機の送風量を制御する制御装置、
を備えたことを特徴とするスイッチギヤの換気装置。
【請求項７】
前記第１の送風口は、前記第２の送風口より小さい
ことを特徴とする請求項１乃至３の何れかに記載のスイッチギヤの換気装置。
【発明の詳細な説明】
【技術分野】
【０００１】
本発明は、スイッチギヤの換気装置に関する。
【背景技術】
【０００２】
母線、この母線と接続される複数の遮断器、これら複数の遮断器が接続されるケーブル等を金属の筐体に収容するスイッチギヤが知られている。
【０００３】
スイッチギヤには、例えば、筐体内の母線、複数の遮断器、ケーブル等のそれぞれを金属製の隔壁によって仕切っているものがある（例えば、特許文献１参照）。この金属製の隔壁を接地することによって、筐体内の１つの遮断器に短絡事故等が発生した場合であっても、同遮断器と隔壁で仕切られた他の部分への事故の影響を最小限に止めることができる。また、この金属製の隔壁を接地することによって、隔壁で仕切られて形成されている複数室のうちの一室で事故が発生した場合であっても、作業員は、スイッチギヤ全体を停電させることなく、事故が発生した一室のみに安全にアクセスできる。
【０００４】
一方、スイッチギヤの筐体内を換気するべく、その天井板の換気口から換気扇によって筐体内の空気を外部に排気する換気装置が開示されている（例えば、特許文献２参照）。
【先行技術文献】
【特許文献】
【０００５】
【特許文献１】特開２００９−２０１２７４号公報
【特許文献２】特開２００３−５６８８０号公報
【発明の概要】
【発明が解決しようとする課題】
【０００６】
ところで、スイッチギヤの筐体内に収容された母線、複数の遮断器、ケーブル等は、例えば各遮断器の動作の有無等に応じてそれぞれの温度が異なるため、筐体内の温度分布が不均一になり易い。このような不均一により温度が相対的に低い箇所では結露等が生じるため、同箇所に、錆びが発生したり、絶縁性が低下したりするという問題がある。
【０００７】
このような温度分布の不均一性は、特に、前述した特許文献１に開示されている母線、複数の遮断器、ケーブル等が隔壁で仕切られている場合に、より一層悪化する。この場合、たとえ前述した特許文献２に開示されている天井の換気扇を用いたとしても、隔壁で複雑に仕切られた筐体内の温度は十分に均一にならないために、温度が低い箇所での結露等による錆びや絶縁性低下等の虞が残る。
【０００８】
本発明はかかる課題に鑑みてなされたものであり、その目的とするところは、スイッチギヤの内部の温度分布の均一性を向上させることにある。
【課題を解決するための手段】
【０００９】
前記課題を解決するための発明は、送風機からの空気を取り込む取込口を有し、母線が収容される母線室と、前記母線室に隣接し、前記母線と接続される複数の遮断器が収容される遮断器室と、前記母線室の前記遮断器室とは反対側に隣接し、前記複数の遮断器と接続されるケーブルが収容されるケーブル室と、を備え、前記母線室と前記遮断器室は、前記母線室内の空気を前記母線室から前記遮断器室へ案内する第１の送風口を有し、前記遮断器室は、前記遮断器室内の空気を外部に案内する第１の排気口を有し、前記母線室と前記ケーブル室は、前記母線室内の空気を前記母線室から前記ケーブル室へ案内する第２の送風口を有し、前記ケーブル室は、前記ケーブル室内の空気を外部に案内する第２の排気口を有するスイッチギヤの換気装置である。
【発明の効果】
【００１０】
本発明によれば、スイッチギヤの内部の温度分布の均一性を向上させることができる。
【図面の簡単な説明】
【００１１】
【図１】（ａ）は、本実施の形態のスイッチギヤの平面図であり、（ｂ）は、本実施の形態のスイッチギヤの正面図であり、（ｃ）は、本実施の形態のスイッチギヤの側面図である。
【図２】本実施の形態のスイッチギヤのうちの１つのユニットにおけるＱ−Ｑ’での断面図である。
【図３】本実施の形態のスイッチギヤの筐体内の空気の流れを説明するための平面図である。
【図４】本実施の形態のスイッチギヤのうちの１つのユニットの筐体内の空気の流れを説明するための断面図である。
【発明を実施するための形態】
【００１２】
===スイッチギヤの換気装置の構成例===
図１及び図２を参照しつつ、本実施の形態のスイッチギヤ１の換気装置５の構成例について説明する。尚、図１（ａ）はスイッチギヤ１の平面図であり、図１（ｂ）はスイッチギヤ１の正面図であり、図１（ｃ）はスイッチギヤ１の側面図である。また、図２は、スイッチギヤ１のうちのユニット１３における図１（ａ）のＱ−Ｑ’での断面図である。
【００１３】
先ず、スイッチギヤ１は、図１（ｂ）の例示では、複数のユニット１１、１２、１３、１４、１５を備えて構成されている。各ユニットは、例えば図２に例示されるユニット１３と同様に、複数の遮断器６１、６２（「遮断器６」と総称する）、複数の遮断器６と接続される母線７、複数の遮断器６と接続されるケーブル８等を備えている。本実施の形態では、複数のユニット１１、１２、１３、１４、１５は、隣接するユニットどうし（例えばユニット１１及びユニット１２）が例えばそれぞれの筐体の対向する側板（図１（ａ）の紙面上下方向の板）を重ね合わせるようにして、直列に接続されている。
【００１４】
尚、本実施の形態では、各ユニット１１、１２、１３、１４、１５が備える遮断器６、母線７、ケーブル８等に対し、説明の便宜上、同一の番号を付しているが、これらは、実際には、ユニットごとに同一であっても異なっていてもよい。
【００１５】
<<<母線室、遮断器室、ケーブル室>>>
スイッチギヤ１の換気装置５は、図１（ａ）の例示では、母線室Ｃと、遮断器室１１Ａ、１２Ａ、１３Ａ、１４Ａ、１５Ａと、ケーブル室１１Ｂ、１２Ｂ、１３Ｂ、１４Ｂ、１５Ｂとを備えている。
【００１６】
尚、本実施の形態のスイッチギヤ１の換気装置５は、具体的には、複数のユニットの複数の筐体全体を構成する外側天井板及び内側天井板と、底板と、相対する一対の側板（図１（ａ）の紙面上下方向の板）と、相対する一対の扉（図１（ａ）の紙面左右方向の板）とによって画成されて構成されている。一例として、図２に例示されるユニット１３の場合、筐体は、外側天井板１３７及び内側天井板１３６と、底板１３８と、相対する一対の側板と、相対する一対の扉１３４、１３５とを備えて構成されており、他のユニット１１、１２、１４、１５の場合もこれと略同様である。
【００１７】
母線室Ｃは、直列に接続された複数のユニット１１、１２、１３、１４、１５にわたって延在する筐体内の空間である。つまり、各ユニットは、筐体内の隔壁５ａ、５ｂ（図１（ａ））及び隔壁５ｃ、５ｄ（図１（ｂ））によって画成された空間を有しており、ユニットどうしの接続にともなって連続したダクト形状の空間を共有している。ここで、隣接するユニット（例えばユニット１１及びユニット１２）の筐体どうしの例えば重なり合った側板の双方には、略矩形状の孔（図２の「母線室Ｃ」の断面に相当する）が形成されている。また、ユニット１１の筐体の側板（図１（ａ）の紙面左側の側板）及びユニット１５の筐体の側板（図１（ａ）の紙面右側の側板）は、母線室Ｃのダクト形状の長手方向の両端を形成している。このうちの、ユニット１１の筐体の側板は閉じているが、ユニット１５の筐体の側板は、後述する送風機３からの空気を取り込むための取込口２を有している（図１（ｂ）、図１（ｃ））。この母線室Ｃには、複数のユニット１１、１２、１３、１４、１５のそれぞれの遮断器６どうしを接続する母線７が同母線室Ｃの長手方向（図２の紙面表から裏への方向）に延在している。尚、本実施の形態では、各ユニット１１、１２、１３、１４、１５が備える隔壁５ａ、５ｂ、５ｃ、５ｄに対し、説明の便宜上、同一の番号を付しているが、これらは、実際には、ユニットごとに同一であっても異なっていてもよい。
【００１８】
遮断器室１１Ａ、１２Ａ、１３Ａ、１４Ａ、１５Ａは、母線室Ｃに隣接するように、複数のユニット１１、１２、１３、１４、１５のそれぞれに個別に形成された空間である。つまり、各遮断器室は、隣接するユニット（例えばユニット１１及びユニット１２）の筐体どうしの重なり合った側板によって仕切られている。図２に例示される遮断器室１３Ａは、隔壁５ａとユニット１３の筐体の扉１３５との間に形成されており、母線室Ｃに対し隔壁５ａを隔てて隣接している。この隔壁５ａは、その一端がユニット１３の筐体の内側天井板１３６に接続され、その他端がユニット１３の筐体の底板１３８に接続されている。また、図２に例示される遮断器室１３Ａは、更に上下方向に２つに仕切られており、これら２つの空間には、母線室Ｃの母線７と接続される遮断器６１、６２がそれぞれ収容されている。尚、他の遮断器室１１Ａ、１２Ａ、１４Ａ、１５Ａも、図２の例示と略同様の構成を備えている。また、各遮断器室に収容される遮断器６は、２つ（遮断器６１、６２）に限定されるものではなく、例えば１つであってもよいし、３つ以上であってもよい。更に、収容される遮断器の個数は、ユニットごとに同一であっても異なっていてもよい。
【００１９】
ケーブル室１１Ｂ、１２Ｂ、１３Ｂ、１４Ｂ、１５Ｂは、母線室Ｃの遮断器室１１Ａ、１２Ａ、１３Ａ、１４Ａ、１５Ａとは反対側に隣接するように、複数のユニット１１、１２、１３、１４、１５のそれぞれに個別に形成された空間である。つまり、各ケーブル室は、隣接するユニット（例えばユニット１１及びユニット１２）の筐体どうしの重なり合った側板によって仕切られている。図２に例示されるケーブル室１３Ｂは、隔壁５ｂ、５ｃ、５ｄとユニット１３の筐体の扉１３４との間に形成されており、母線室Ｃに対し隔壁５ｂ、５ｃ、５ｄを隔てて遮断器室１３Ａとは反対側（図２の紙面左側）に隣接している。また、図２に例示されるケーブル室１３Ｂには、ケーブル８以外に保護継電器盤９等が収容されている。尚、他のケーブル室１１Ｂ、１２Ｂ、１４Ｂ、１５Ｂも、図２の例示と略同様の構成を備えている。
【００２０】
<<<第１の送風口>>>
図１（ａ）に例示されるように、母線室Ｃ及び遮断器室１１Ａを仕切る隔壁５ａには、送風口１１ａ（第１の送風口）が形成されている。同様に、隔壁５ａには、遮断器室１２Ａ、１３Ａ、１４Ａ、１５Ａに対応する位置に、母線室Ｃと連通する送風口１２ａ、１３ａ、１４ａ、１５ａ（以上、第１の送風口、複数の送風口）がそれぞれ形成されている。
【００２１】
尚、図２に例示される母線室Ｃ及び遮断器室１３Ａの間の送風口１３ａは、具体的には、遮断器室１３Ａの上下に２つに仕切られた空間ごとに隔壁５ａに形成されている。この送風口１３ａは、母線室Ｃ内の空気を同母線室Ｃから遮断器室１３Ａへ案内するための孔である。ここで、他の送風口１１ａ、１２ａ、１４ａ、１５ａについても同様であり、それぞれは、図１（ａ）において１つの第１の送風口として概念的に表わされている。
【００２２】
<<<第１の排気口>>>
図１（ａ）に例示されるように、遮断器室１１Ａと、筐体の外部との間には排気口１１１（第１の排気口）が形成されている。同様に、遮断器室１２Ａ、１３Ａ、１４Ａ、１５Ａに対応する位置に、筐体の外部との間には排気口１２１、１３１、１４１、１５１（以上、第１の排気口）がそれぞれ形成されている。
【００２３】
尚、図２に例示される遮断器室１３Ａ及び外部の間の排気口１３１は、具体的には、遮断器室１３Ａの上側の空間に対しては、筐体の内側天板１３６及び外側天板１３７のそれぞれに対し形成され、遮断器室１３Ａの下側の空間に対しては、筐体の扉１３５に形成されている。つまり、遮断器室１３Ａの上側の空間の場合、同空間内の空気は、例えば、先ず筐体の内側天板１３６の排気口１３１を通過し、次に筐体の外側天井板１３７の排気口１３１を通過して、筐体の外部へ案内されるようになっている。遮断器室１３Ａの下側の空間の場合、同空間内の空気は、筐体の扉１３５の排気口１３１を通過して、筐体の外部へ案内されるようになっている。ここで、他の排気口１１１、１２１、１４１、１５１についても同様であり、それぞれは、図１（ａ）において１つの第１の排気口として概念的に表わされている。
【００２４】
本実施の形態では、図２に例示されるように、スイッチギヤ１の高さ方向（上下方向）において、送風口１３ａの位置は、同送風口１３ａからの空気の排気先である排気口１３１の位置よりも低くなるように形成されている。同様に、スイッチギヤ１の高さ方向において、図１（ａ）に例示される送風口１１ａ、１２ａ、１４ａ、１５ａの位置は、同送風口１１ａ、１２ａ、１４ａ、１５ａからの空気の排気先である排気口１１１、１２１、１４１、１５１の位置よりもそれぞれ低くなるように形成されている。
【００２５】
また、本実施の形態では、図１（ａ）に例示されるように、例えば略円形状をなす送風口１１ａ、１２ａ、１３ａ、１４ａ、１５ａは、取込口２から最も近い送風口１５ａの径ｄ５が最大であり、同取込口２から遠ざかるにつれて径ｄ４、径ｄ３、径ｄ２の順に小さくなり、同取込口２から最も遠い送風口１１ａの径ｄ１が最小となるように形成されている。尚、送風口１１ａ、１２ａ、１３ａ、１４ａ、１５ａの形状は略円形に限定されるものではなく、如何なる形状であってもよい。この場合、送風口１１ａ、１２ａ、１３ａ、１４ａ、１５ａは、取込口２から遠ざかるにつれてその開口面積が小さくなればよい。
【００２６】
<<<第２の送風口>>>
図１（ａ）に例示されるように、母線室Ｃ及びケーブル室１１Ｂを仕切る隔壁５ｂ、５ｃ、５ｄには、送風口１１ｂ（第２の送風口）が形成されている。同様に、隔壁５ｂ、５ｃ、５ｄには、ケーブル室１２Ｂ、１３Ｂ、１４Ｂ、１５Ｂに対応する位置に、母線室Ｃと連通する送風口１２ｂ、１３ｂ、１４ｂ、１５ｂ（以上、第２の送風口、複数の送風口）がそれぞれ形成されている。
【００２７】
<<<第２の排気口>>>
図１（ａ）に例示されるように、ケーブル室１１Ｂと、筐体の外部との間には排気口１１２（第２の排気口）が形成されている。同様に、ケーブル室１２Ｂ、１３Ｂ、１４Ｂ、１５Ｂに対応する位置に、筐体の外部との間には排気口１２２、１３２、１４２、１５２（以上、第２の排気口）がそれぞれ形成されている。
【００２８】
尚、図２に例示されるケーブル室１３Ｂ及び外部の間の排気口１３２は、具体的には、同ケーブル室１３Ｂ内の空気が、例えば、先ず筐体の内側天板１３６の排気口１３２を通過し、次に筐体の外側天井板１３６の排気口１３２を通過して、筐体の外部へ案内されるようになっている。或いは、排気口１３２は、ケーブル室１３Ｂ内の空気が、例えば、扉１３４の排気口１３２を通過して、筐体の外部へ案内されるようになっている。ここで、他の排気口１１２、１２２、１４２、１５２についても同様であり、それぞれは、図１（ａ）において１つの第２の排気口として概念的に表わされている。
【００２９】
本実施の形態では、図２に例示されるように、スイッチギヤ１の高さ方向（上下方向）において、送風口１３ｂの位置は、同送風口１３ｂからの空気の排気先である排気口１３２の位置よりも低くなるように形成されている。同様に、スイッチギヤ１の高さ方向において、図１（ａ）に例示される送風口１１ｂ、１２ｂ、１４ｂ、１５ｂの位置は、同送風口１１ｂ、１２ｂ、１４ｂ、１５ｂからの空気の排気先である排気口１１２、１２２、１４２、１５２の位置よりもそれぞれ低くなるように形成されている。
【００３０】
また、本実施の形態では、図１（ａ）に例示されるように、例えば略円形状をなす送風口１１ｂ、１２ｂ、１３ｂ、１４ｂ、１５ｂは、取込口２から最も近い送風口１５ｂの径ｄ５’が最大であり、同取込口２から遠ざかるにつれて径ｄ４’、径ｄ３’、径ｄ２’の順に小さくなり、同取込口２から最も遠い送風口１１ｂの径ｄ１’が最小となるように形成されている。尚、送風口１１ｂ、１２ｂ、１３ｂ、１４ｂ、１５ｂの形状は略円形に限定されるものではなく、如何なる形状であってもよい。この場合、送風口１１ｂ、１２ｂ、１３ｂ、１４ｂ、１５ｂは、取込口２から遠ざかるにつれてその開口面積が小さくなればよい。
【００３１】
更に、本実施の形態では、図１（ａ）に例示されるように、ユニット１１において、送風口１１ａの径ｄ１は、送風口１１ｂの径ｄ１’よりも小さく設定されており（ｄ１＜ｄ１’）、これは、他のユニット１２、１３、１４、１５についても同様である（ｄ２＜ｄ２’、ｄ３＜ｄ３’、ｄ４＜ｄ４’、ｄ５＜ｄ５’）。つまり、ユニットごとに、第１の送風口は、第２の送風口よりも小さくなっている。尚、送風口１１ａ、１２ａ、１３ａ、１４ａ、１５ａ、１１ｂ、１２ｂ、１３ｂ、１４ｂ、１５ｂの形状は略円形に限定されるものではなく、如何なる形状であってもよい。この場合、ユニット１１において、送風口１１ａの面積は、送風口１１ｂの面積よりも小さくなればよく、これは、他のユニット１２、１３、１４、１５についても同様である。
【００３２】
<<<送風機>>>
図１（ｂ）及び図１（ｃ）に例示されるように、送風機３は、ユニット１５の筐体の側板に形成された取込口２に装着されて、筐体の外部の空気を母線室Ｃ内に取り込むものであり、例えば、不図示の電動モータと、同電動モータの回転軸に固設された送風用の羽根とを備えて構成されている。この場合、送風機１の送風量は、電動モータへの電流の供給量の調節を通じて制御可能となる。
【００３３】
本実施の形態のスイッチギヤ１の換気装置５は、例えば複数の遮断器６の投入コイル（不図示）や引外しコイル（不図示）等に流れる電流を検出する所定の電流計（不図示）の検出結果に応じて、送風機３の電動モータへ供給する電流を制御する所定の制御装置（不図示）を更に備えている。この制御装置は、例えば、電流計により検出された複数の遮断器６への電流の総供給量が大きいほど、送風機１の電動モータへの電流の供給量を大きくするようになっている。
【００３４】
また、本実施の形態のスイッチギヤ１の換気装置５は、ユニット１５の筐体の側板の取込口２の周囲に吸気ダクト４を更に備えている。図１（ｂ）において部分断面で例示されているように、本実施の形態の吸気ダクト４は、ユニット１５の筐体の側板に形成された周囲４方（取込口２の上方を除く）を囲むカバー部材４１と、同カバー部材４１の上方開口部を封止することなく上から覆うフラップ部材４２とを備えて構成されている。送風機１が稼動すると、外気は、カバー部材４１の開口部近傍とフラップ部材４２との間隙を通って吸気されるようになっている。本実施の形態の吸気ダクト４は、カバー部材４１の開口部近傍とフラップ部材４２との間隙がスイッチギヤ１の高さ方向（上下方向）における略中間位置より高い位置となるように構成されている。
【００３５】
===スイッチギヤの換気装置の動作例===
図３及び図４を参照しつつ、前述した構成を備えたスイッチギヤ１の換気装置５の動作例について説明する。尚、図３は、スイッチギヤ１の筐体内の空気の流れを説明するための平面図であり、図４は、スイッチギヤ１のうちのユニット１３の筐体内の空気の流れを説明するための断面図である。
【００３６】
送風機３が稼動すると、図３に例示されるように、スイッチギヤ１の高さ方向（上下方向）における略中間位置より高い位置の外気が、吸気ダクト４を通じて、取込口２（図１（ｃ）、図１（ｃ）参照）から母線室Ｃに取り込まれる。
【００３７】
母線室Ｃに外気として取り込まれた空気は、図３の太線の矢印で例示されるように、同母線室Ｃの長手方向に流れつつ、各ユニットの送風口１５ａ、１５ｂ、１４ａ、１４ｂ、１３ａ、１３ｂ、１２ａ、１２ｂ、１１ａ、１１ｂに分岐して流れ込む。
【００３８】
例えばユニット１３では、図４の太線の矢印で例示されるように、送風口１３ａを通過して母線室Ｃから遮断器室１３Ａの上側の空間へ案内された空気は、同空間内を下方から上方へ流れ、内側天井板１３６の排気口１３１及び外側天井板１３７の排気口１３１を通過して筐体の外部に案内される。送風口１３ａを通過して母線室Ｃから遮断器室１３Ａの下側の空間へ案内された空気は、同空間内を下方から上方へ流れ、扉１３５の排気口１３１を通過して筐体の外部に案内される。
【００３９】
また、例えばユニット１３では、図４の太線の矢印で例示されるように、送風口１３ｂを通過して母線室Ｃからケーブル室１３Ｂへ案内された空気は、同ケーブル室１３Ｂ内を下方から上方へ流れ、内側天井板１３６の排気口１３２及び外側天井板１３７の排気口１３２を通過して筐体の外部に案内されたり、或いは、同ケーブル室１３Ｂ内を下方から上方へ流れ、扉１３４の排気口１３２を通過して筐体の外部に案内されたりする。
【００４０】
尚、他のユニット１１、１２、１４、１５においても、以上と略同様である。
【００４１】
以上述べたように、本実施の形態のスイッチギヤ１の換気装置５によれば、送風機３によって母線室Ｃに取り込まれた空気は、遮断器室（例えば遮断器室１３Ａ等）と、ケーブル室（例えばケーブル室１３Ｂ等）とに分岐し、それぞれを経由して外部に排気される。つまり、外部から取り込まれた空気は、母線室Ｃ内に停滞することなく、遮断器室又はケーブル室の何れか一方を経由するだけで、再び外部に排気される。これにより、例えば、遮断器の動作にともなって母線が発熱した場合、母線室Ｃ内で加熱された空気は、遮断器室及びケーブル室で放熱することによって、母線室Ｃ内よりも低温の箇所を加熱できる。よって、スイッチギヤ１の内部の温度分布の均一性を向上させることができる。このような均一性の向上によって、例えば温度が低い箇所での結露等を抑制できれば、同箇所にスペースヒータ等を別途設置することなく、同箇所での錆びの発生や絶縁性の低下等も抑制できる。これは、コストをかけないスイッチギヤ１の長寿命化や高性能化等につながる。特にスイッチギヤ１が複数のユニット（例えばユニット１１、１２、１３、１４、１５等）から構成されている場合、本実施の形態のスイッチギヤ１の換気装置５によれば、各ユニットに送風機１を装着する必要がない分だけ、コストをより一層低減できる。
【００４２】
また、本実施の形態のスイッチギヤ１の換気装置５は、吸気ダクト４を更に備えているため、送風機３がスイッチギヤ１の上方の外気を吸気し、これを母線室Ｃ内に取り込むことができる。特にスイッチギヤ１が屋外に設置されている場合、一般に、スイッチギヤ１の上方の外気は下方の外気に比べて地面に起因する湿度が低いため、母線室Ｃ内に取り込まれる外気の湿度がより低くなる。これにより、結露の原因をより一層抑制できるため、結露に起因する錆びの発生や絶縁性の低下等もより一層抑制できる。
【００４３】
また、本実施の形態のスイッチギヤ１の換気装置５は、例えば母線室Ｃにおいて加熱された高温の空気が、第１の送風口（例えば送風口１３ａ等）を通過した後、これより上方にある第１の排気口（例えば排気口１３１等）を通過して筐体の外部に排気されるため、一般に上方で高く下方で低い傾向のある筐体内の上下方向の温度が均一に分布する。同様に、例えば母線室Ｃにおいて加熱された高温の空気が、第２の送風口（例えば送風口１３ｂ等）を通過した後、これより上方にある第２の排気口（例えば排気口１３２等）を通過して筐体の外部に排気されるため、筐体内の上下方向の温度は均一に分布する。
【００４４】
また、本実施の形態のスイッチギヤ１の換気装置５は、ダクト形状をなす母線室Ｃにおいて、送風口１５ａ、１４ａ、１３ａ、１２ａ、１１ａ（第１の送風口）がこの順に（つまり取込口２から遠ざかるにつれて）小さくなるように形成されている。同様に、送風口１５ｂ、１４ｂ、１３ｂ、１２ｂ、１１ｂ（第２の送風口）もこの順に（つまり取込口２から遠ざかるにつれて）小さくなるように形成されている。一般に、ダクト形状の空間において、その一端の送風源からの距離が遠ざかるにつれて風速は遅くなるが、同空間の側部に形成される送風口が小さくなるにつれて同送風口で分岐した風速は速くなる。よって、送風口１５ａ、１４ａ、１３ａ、１２ａ、１１ａのそれぞれがこの順に（つまり取込口２から遠ざかるにつれて）小さくなるように形成することにより、送風源から遠ざかった分だけ遅くなった風速を、送風口を小さくした分だけ速めることができるため、母線室Ｃから各遮断器室１５Ａ、１４Ａ、１３Ａ、１２Ａ、１１Ａへ向かう風速が略均一となる。同様に、送風口１５ｂ、１４ｂ、１３ｂ、１２ｂ、１１ｂのそれぞれがこの順に（つまり取込口２から遠ざかるにつれて）小さくなるように形成することにより、母線室Ｃから各ケーブル室１５Ｂ、１４Ｂ、１３Ｂ、１２Ｂ、１１Ｂへ向かう風速が略均一となる。以上は、筐体内の長手方向の温度分布の均一性の向上につながる。
【００４５】
また、本実施の形態のスイッチギヤ１の換気装置５は、送風機３が取込口２に装着されているため、母線室Ｃに対し外気を効果的に取り込める。これにより、例えば母線室Ｃ内で発熱した母線７の冷却効率が向上する。
【００４６】
また、本実施の形態のスイッチギヤ１の換気装置５は、前述した制御装置（不図示）を通じて、複数の遮断器６（例えば遮断器６１、６２等）の動作状態に応じて送風機３の送風量を制御している。例えば、前述した電流計（不図示）により検出された複数の遮断器６への電流の総供給量が大きいほど、送風機１の電動モータへの電流の供給量を大きくすることによって、結果的に、遮断器６の動作にかかわらず母線室Ｃ内の母線７を一定の効率で冷却できる。
【００４７】
また、本実施の形態のスイッチギヤ１の換気装置５は、ユニットごとに第１の送風口（例えば送風口１３ａ等）が第２の送風口（例えば送風口１３ｂ等）より小さくなるように形成されている。これにより、遮断器６の動作状態によってはケーブル室（例えばケーブル室１３Ｂ）よりも高温になる遮断器室（例えば遮断器室１３Ａ）に対する風速をより速くして冷却効率を高めることによって、ケーブル室と遮断器室との温度を均一にすることができる。
【００４８】
===その他の実施の形態===
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００４９】
前述した実施の形態では、スイッチギヤ１は、５つのユニット１１、１２、１３、１４、１５から構成されていたが、これに限定されるものではなく、例えば１つのユニット１５から構成されるものであってもよい。この場合、スイッチギヤ１の換気装置５は、ユニット１５の筐体内の母線室Ｃ、遮断器室１５Ａ、ケーブル室１５Ｂ等を備えて構成されていればよい。或いは、スイッチギヤ１は、６つ以上のユニットから構成されるものであってもよい。
【００５０】
前述した実施の形態では、例えば、母線室Ｃと遮断器室１３Ａとは隔壁５ａで仕切られ、母線室Ｃとケーブル室１３Ｂとは隔壁５ｂ、５ｃ、５ｄで仕切られていたが、これに限定されるものではない。特に隔壁で仕切られていなくても例えば筐体内を母線７、複数の遮断器６、ケーブル８等が密に専有している場合、母線７が収容される空間を母線室Ｃとみなし、複数の遮断器６（例えば遮断器６１、６２等）が収容されている空間を遮断器室（例えば遮断器室１３Ａ）とみなし、ケーブル８が収容されている空間をケーブル室（例えばケーブル室１３Ｂ）とみなしてもよい。尚、この場合、母線室Ｃから遮断器室へ連通する隙間等が第１の送風口を構成し、母線室Ｃからケーブル室へ連通する隙間等が第２の送風口を構成する。
【符号の説明】
【００５１】
１  スイッチギヤ
２  取込口
３  送風機
４  吸気ダクト
５  換気装置
５ａ、５ｂ、５ｃ、５ｄ  隔壁
６  遮断器
７  母線
８  ケーブル
９  保護継電器盤
１１、１２、１３、１４、１５  ユニット
１１Ａ、１２Ａ、１３Ａ、１４Ａ、１５Ａ  遮断器室
１１Ｂ、１２Ｂ、１３Ｂ、１４Ｂ、１５Ｂ  ケーブル室
１１ａ、１２ａ、１３ａ、１４ａ、１５ａ  送風口
１１ｂ、１２ｂ、１３ｂ、１４ｂ、１５ｂ  送風口
４１  カバー部材
４２  フラップ部材
６１、６２  遮断器
１１１、１２１、１３１、１４１、１５１  排気口
１１２、１２２、１３２、１４２、１５２  排気口
１３４、１３５  扉
１３６  内側天井板
１３７  外側天井板
１３８  底板
Ｃ  母線室
【図１】
2011172357.tif 000003
【図２】
2011172357.tif 000004
【図３】
2011172357.tif 000005
【図４】
2011172357.tif 000006